(57)【要約】【課題】使用者が彫刻刀を使用する際に誤って指等を傷つけることを防止できる彫刻刀を提供することを目的とする。【解決手段】使用者によって把持される軸筒３と、軸筒３の内部に配された固定部材４と芯部材２と、固定部材４の先端に固定される刃体部６とを有する彫刻刀１であって、固定部材４は、芯部材２に対して相対的に回転可能であり、芯部材２は周方向の回転力を軸方向の移動力に変換する回転変換手段を有しており、芯部材２の周方向の回転によって、刃体部６は、軸筒から突出する突出姿勢と軸筒内に退避する退避姿勢を取ることが可能である構成としている。【選択図】図２
2012245673.tif 000002
【特許請求の範囲】
【請求項１】
使用者によって把持される軸筒と、軸筒の内部に配された本体と芯部材と、本体の先端に固定される刃体部とを有する彫刻刀であって、
前記本体は、芯部材に対して相対的に回転可能であり、
芯部材は周方向の回転力を軸方向の移動力に変換する回転変換手段を有しており、
本体の周方向の回転によって、刃体部は、軸筒から突出する突出姿勢と軸筒内に退避する退避姿勢との切り替えが可能であることを特徴とする彫刻刀。
【請求項２】
本体の内側面に本体側突起を有しており、
芯部材の外側面に芯側溝を有しており、
前記芯側溝は少なくとも一部が軸方向に成分を有しており、
本体側突起が芯側溝と互いに係合し、本体側突起が芯側溝に沿って移動することによって、刃体部の前記突出姿勢と退避姿勢との切り替えが可能であることを特徴とする請求項１に記載の彫刻刀。
【請求項３】
本体はガード部を有する保護部材を備えており、
前記ガード部は、少なくとも刃体部の刃先近傍に位置する保護姿勢を取ることが可能であることを特徴とする請求項１又は２に記載の彫刻刀。
【請求項４】
本体は先端に刃体部を有する固定部材を備えており、
保護部材は固定部材に対して独立して移動可能であり、
ガード部が刃体部の刃先近傍に位置する保護姿勢と、ガード部が軸筒内に退避するガード部退避姿勢との切り替えが可能であることを特徴とする請求項３に記載の彫刻刀。
【請求項５】
軸筒の内側面には軸方向に沿って延伸した突起部を有しており、
前記突起部は保護部材と固定部材に挟持されることを特徴とする請求項４に記載の彫刻刀。
【請求項６】
本体の内側面に本体側突起を有しており、
保護部材の内側面には、保護側突起を有しており、
芯部材の外側面に芯側溝及び保護側溝を有しており、
本体側突起は芯側溝と係合し、本体側突起が芯側溝に沿って移動可能であり、
保護側突起は保護側溝と係合し、保護側溝に沿って移動可能であり、
芯側溝及び保護側溝は、芯部材の周方向に配された２つの水平溝と、前記水平溝間をつなぎ、且つ軸方向に成分を有した回転溝を有しており、
芯側溝の回転溝は、保護側溝の回転溝に対して周方向にずれていることを特徴とする請求項４に記載の彫刻刀。
【発明の詳細な説明】
【技術分野】
【０００１】
本発明は、彫刻刀に関するものである。
【背景技術】
【０００２】
彫刻刀は、彫刻や版画を行う場合に使用する刃物であり、芸術家が創作活動を行う場合に使用するほか、学校教育における児童生徒の教材としても広く利用されている。
彫刻刀の構造は、特許文献１に記載されているような丸刀、切出刀、平ノミ等の各種の刃先形状を有する刀身に、木や樹脂の柄が取り付けられた構造を有している。
【先行技術文献】
【特許文献】
【０００３】
【特許文献１】特開２００５−３１９６２４号公報
【発明の概要】
【発明が解決しようとする課題】
【０００４】
ところで、彫刻刀は、通常一セット単位で収納ケースに収納されて販売されることが多く、使用者は収納ケースから彫刻刀を取り出して使用する。即ち、使用する彫刻刀の種類を変更する場合は、変更する彫刻刀を収納ケースに収納し、新たに使用する彫刻刀を収納ケースから取り出して使用する。しかしながら、使用者は作品制作に没頭すると、変更時に収納ケースに収納せず、彫刻刀が抜き身の状態で作品の近傍に放置されることが多い。そのため、誤って刃先を握り、指等を負傷する場合があった。特に、児童生徒が使用する場合、指等が負傷しやすく、学校教育において安全性が問題視されていた。
【０００５】
そこで本発明は、使用者が彫刻刀を使用する際に誤って指等を傷つけることを防止できる彫刻刀を提供することを目的とする。
【課題を解決するための手段】
【０００６】
上記課題を解決するための請求項１の発明は、使用者によって把持される軸筒と、軸筒の内部に配された本体と芯部材と、本体の先端に固定される刃体部とを有する彫刻刀であって、前記本体は、芯部材に対して相対的に回転可能であり、芯部材は周方向の回転力を軸方向の移動力に変換する回転変換手段を有しており、本体の周方向の回転によって、刃体部は、軸筒から突出する突出姿勢と軸筒内に退避する退避姿勢との切り替えが可能であることを特徴とする彫刻刀である。
【０００７】
かかる構成によれば、本体の周方向の回転によって、刃体部は、軸筒から突出する突出姿勢と軸筒内に退避する退避姿勢との切り替えが可能であるため、使用後に退避姿勢にしておけば、例え、収納ケースに収納せずに作品の近傍に放置したとしても、使用者が誤って彫刻刀に接触し、指等を傷つけることがない。
【０００８】
請求項２に記載の発明は、本体の内側面に本体側突起を有しており、芯部材の外側面に芯側溝を有しており、前記芯側溝は少なくとも一部が軸方向に成分を有しており、本体側突起が芯側溝と互いに係合し、本体側突起が芯側溝に沿って移動することによって、刃体部の前記突出姿勢と退避姿勢との切り替えが可能であることを特徴とする請求項１に記載の彫刻刀である。
【０００９】
かかる構成によれば、本体側突起が芯側溝に沿って移動することによって、刃体部の前記突出姿勢と退避姿勢との切り替えが可能であるため、突出姿勢と退避姿勢の切り替えに複雑な動作が必要ない。即ち、児童でも容易に使用できる。
【００１０】
請求項３に記載の発明は、本体はガード部を有する保護部材を備えており、前記ガード部は、少なくとも刃体部の刃先近傍に位置する保護姿勢を取ることが可能であることを特徴とする請求項１又は２に記載の彫刻刀である。
【００１１】
かかる構成によれば、刃体部の刃先近傍に位置する保護姿勢を取るため、例え、彫刻時に被彫刻物を押さえた手に刃先が突進しても、手がガード部により防御される。即ち、彫刻時においても、誤って指等を傷つけることがなく、児童でも安心して使用できる。
【００１２】
請求項４に記載の発明は、本体は先端に刃体部を有する固定部材を備えており、保護部材は固定部材に対して独立して移動可能であり、ガード部が刃体部の刃先近傍に位置する保護姿勢と、ガード部が軸筒内に退避するガード部退避姿勢との切り替えが可能であることを特徴とする請求項３に記載の彫刻刀である。
【００１３】
かかる構成によれば、ガード部が刃体部の刃先近傍に位置する保護姿勢と、ガード部が軸筒内に退避するガード部退避姿勢との切り替えが可能であるため、ガード部を軸筒内に退避させることができる。即ち、例え従来の彫刻刀に慣れ親しみ、ガード部が刃先の近くにあると使用しづらいと感じる使用者であっても、保護部材を本体部に沿って移動させ、刃から保護部材を退避させることによって、従来と同様の動作で彫刻作業を行うことができる。
【００１４】
請求項５に記載の発明は、軸筒の内側面には軸方向に沿って延伸した突起部を有しており、前記突起部は保護部材と固定部材に挟持されることを特徴とする請求項４に記載の彫刻刀である。
【００１５】
かかる構成によれば、軸筒の突起部は軸方向に沿って延伸しており、軸筒の突起部は保護部材と固定部材に挟持されているため、周方向の回転において、軸筒は保護部材と固定部材に一体となって移動する。即ち、軸筒内での保護部材と固定部材の位置関係が固定される。それ故に、周方向の回転力を分散すること無く、芯部材に伝えることができる。
【００１６】
請求項６に記載の発明は、本体の内側面に本体側突起を有しており、保護部材の内側面には、保護側突起を有しており、芯部材の外側面に芯側溝及び保護側溝を有しており、本体側突起は芯側溝と係合し、本体側突起が芯側溝に沿って移動可能であり、保護側突起は保護側溝と係合し、保護側溝に沿って移動可能であり、芯側溝及び保護側溝は、芯部材の周方向に配された２つの水平溝と、前記水平溝間をつなぎ、且つ軸方向に成分を有した回転溝を有しており、芯側溝の回転溝は、保護側溝の回転溝に対して周方向にずれていることを特徴とする請求項４に記載の彫刻刀である。
【００１７】
かかる構成によれば、芯側溝の回転溝は、保護側溝の回転溝に対して周方向にずれているため、芯部材を周方向の回転させることによって、保護部材は固定部材に対して独立して移動可能であり、一連の周方向の回転動作によって、姿勢の切り替えが可能である。
【発明の効果】
【００１８】
本発明によれば、本体の周方向の回転によって、刃体部は、軸筒から突出する突出姿勢と軸筒内に退避する退避姿勢との切り替えが可能であるため、使用後に退避姿勢にしておけば、例え、収納ケースに収納せずに作品の近傍に放置したとしても、使用者が誤って彫刻刀に接触し、指等を傷つけることがない。
【図面の簡単な説明】
【００１９】
【図１】本発明の実施形態に係る彫刻刀を示す斜視図である。
【図２】図１の彫刻刀を示す分解斜視図である。
【図３】図１の芯部材を示す斜視図であり、図１の芯部材の角度を周方向に少しずらして図示している。
【図４】図３の芯部材の前段部を示す展開図である。
【図５】図１の軸筒を示す一部破断斜視図である。
【図６】図１の固定部材を示す斜視図である。
【図７】図２の保護部材を別角度から見た斜視図であり、図２の保護部材を天地方向に逆転して図示している。
【図８】姿勢変更の動作における固定係合溝と突起部、及び保護係合溝と内側突起部の位置関係の説明図であり、（ａ）退避姿勢時の位置関係を表す図、（ｂ）退避姿勢から芯部材を周方向に回転させた時の位置関係を表す図、（ｃ）突出姿勢時の位置関係を表す図、（ｄ）突出姿勢から芯部材を周方向に回転させた時の位置関係を表す図、（ｅ）保護部材退避姿勢時の位置関係を表す図である。
【図９】軸筒内に刃体部及び保護部材が収納された退避姿勢における彫刻刀の説明図である。
【図１０】保護部材と刃体部の双方が軸筒から突出した突出姿勢における彫刻刀の説明図である。
【図１１】図１０の突出姿勢における彫刻刀のＡ−Ａ面の断面図である。
【図１２】突出姿勢における彫刻刀の側面図である。
【図１３】刃体部が軸筒から突出し、保護部材が軸筒に退避した保護部材退避姿勢における彫刻刀の説明図である。
【図１４】本発明の別の実施形態における芯部材の斜視図である。
【発明を実施するための形態】
【００２０】
以下に本発明の実施形態について詳細に説明する。
なお、以下の説明において、特に断りがない限り、上下左右の位置関係は、図１のように刃体部６及び保護部材５が軸筒３から突出した姿勢（以下、突出姿勢ともいう）を基準に説明する。即ち、図１において幅方向を左右、高さ方向を上下、長手方向を前後と表す。
【００２１】
彫刻刀１は、彫刻や版画を行う際に使用するものであり、図１、２のように芯部材２と軸筒３と固定部材４と保護部材５とによって構成されている。なお、固定部材４と保護部材５をまとめて本体ともいう。
【００２２】
以下、各部材の構成について説明する。まず、芯部材２について説明する。
芯部材２は、外観が段付きの芯材である。即ち、芯部材２は、図３のように同一中心上に３つの略円柱状の部材が積み重なった形状をしている。芯部材２は、前方から順にそれぞれ外径が異なる前段部７と、中段部８と、後段部１０とによって構成されている。
【００２３】
前段部７は、図３のように外側面に保護係合溝１１と固定係合溝１２を有している。即ち、前段部７は、軸方向基端側（中段部８側）に配された保護係合溝１１と軸方向先端側に配された固定係合溝１２とを有している。なお、図３では、保護係合溝１１と固定係合溝１２の形状及び位置の理解を容易にする為、図２の芯部材２を少し周方向に移動させて図示している。
【００２４】
固定係合溝１２の形状は、図４のように前段部７の側面に沿った展開図において、周方向（図４では左右方向）に配された２つの水平溝１５、１６を有しており、これらの水平溝間をつなぎ、水平溝１５に対して斜め前方（図４では斜め上方向）に形成された回転溝１７を有している。水平溝１５と回転溝１７、回転溝１７と水平溝１６はそれぞれ連続している。水平溝１５と水平溝１６は不連続となっている。また、回転溝１７は、軸方向成分（図４では上下方向）と周方向成分（図４では左右方向）に分けることができる。
水平溝１５、１６間の軸方向（図４では上下方向）の距離Ｌは、刃体部６の軸方向の長さにほぼ等しい。水平溝１５の端部は、軸方向（図４では上下方向）の投影線上に水平溝１６の端部が重なる。即ち、固定係合溝１２は、芯部材２の周方向全体に亘って形成されている。
【００２５】
保護係合溝１１の形状は、図４のように前段部７の側面に沿った展開図において、略「Ｖ」字状となっている。即ち、周方向に配された３つの水平溝１８、２０、２１と、水平溝１８と水平溝２０間をつなぎ、水平溝１８に対して斜め後方（図４では斜め下方向）に形成された回転溝２２と、水平溝２０と水平溝２１間をつなぎ、水平溝２０に対して斜め前方（図４では斜め上方向）に形成された回転溝２３を有している。即ち、回転溝２２と回転溝２３は、共に軸方向成分（図４では上下方向）と周方向成分（図４では左右方向）に分けることができる。
水平溝１８と回転溝２２、回転溝２２と水平溝２０、水平溝２０と回転溝２３、回転溝２３と水平溝２１、水平溝２１と水平溝１８、はそれぞれ連続している。即ち、保護係合溝１１は、芯部材２の周方向全体に亘って連続している。
【００２６】
中段部８（図３参照）に目を移すと、中段部８は、組み立て完成時の突出姿勢において、保護部材５（図７参照）の保護本体３１の外周面と、固定部材７（図６参照）の接続部６０の外周面と面一となる。中段部８の外径は、前段部７の外径よりも大きく、軸筒３（図５参照）の内径にほぼ等しい。前段部７の外周面と中段部８の外周面は、図３のように立壁部２５を介して段状に連続している。
【００２７】
後段部１０に目を移すと、後段部１０は、姿勢を変更する際に主に把持される部位である。後段部１０の先端側（中段部８側）の外周面には、複数の溝が形成されており、使用者が把持する際に、滑り防止機能を有する。中段部８の外周面と後段部１０の外周面は、図３のように立壁部２６を介して段状に連続している。
後段部１０の外径は、中段部８の外径に比べて大きく、軸筒３の外径にほぼ等しい。即ち、組み立て完成時における突出姿勢において、後段部１０の外周面は、図１のように軸筒３の外周面とほぼ面一となっている。即ち、立壁部２６の高さは、軸筒３の厚みにほぼ等しい。また、立壁部２６によって、軸方向の後方への軸筒３の動きを規制可能である。
【００２８】
ここで、前段部７の保護係合溝１１と固定係合溝１２の形状及び位置関係について図４を用いて詳説する。
保護係合溝１１と固定係合溝１２は、図４のように５つの領域に分けられる。即ち、組み立て完成時に、保護係合溝１１を基準として水平溝１８が属する退避領域Ｉと、回転溝２２が属する本体移動領域IIと、水平溝２０が属する突出領域IIIと、回転溝２３が属する保護部材移動領域IVと、水平溝２１が属する保護部材退避領域Ｖとに分類される。また、保護係合溝１１の周方向（図４では左右方向）の全長は、固定係合溝１２の周方向の全長と等しい。そして、保護係合溝１１及び固定係合溝１２は、芯部材２の周方向全体に亘って形成されている。
【００２９】
芯部材２を前方から見て時計回り方向に回転させる（図４の右方向移動していく）と、退避領域Ｉにおいて、保護係合溝１１と固定係合溝１２は平行となっている。即ち、保護係合溝１１と固定係合溝１２との距離は一定となっている。本体移動領域IIにおいては、右方向に進むにつれて、固定係合溝１２は先端側（図４では上方向）に近づいており、保護係合溝１１は基端側（図４では下方向）に近づいている。即ち、右方向に進むにつれて、保護係合溝１１と固定係合溝１２は互いに離反しており、保護係合溝１１と固定係合溝１２の距離は離れている。そして、突出領域IIIにおいて、保護係合溝１１と固定係合溝１２は平行となっている。即ち、保護係合溝１１と固定係合溝１２との距離は一定となっている。保護部材移動領域IVにおいては、右方向に進むにつれて、固定係合溝１２は位置を保っている。一方、保護係合溝１１は先端側に近づいていく。即ち、右方向に進むにつれて、固定係合溝１２に対して保護係合溝１１が近接しており、保護係合溝１１と固定係合溝１２の距離は近づいている。保護部材退避領域Ｖにおいて、保護係合溝１１と固定係合溝１２は平行となっている。即ち、保護係合溝１１と固定係合溝１２との距離は一定となる。
また、保護係合溝１１の回転溝１７と固定係合溝１２の回転溝２３は、平行に配されている。
【００３０】
続いて、軸筒３について説明する。
軸筒３は、図２、５のように内径が一定の筒状の部材であり、内部に芯部材２の前段部７及び中段部８が収納可能である。軸筒３の内壁には、図５のように軸筒３の中心軸方向へ突出した突出部２９、３０（図５では図面の都合上、突出部３０は省略する）を有している。突出部２９、３０は、軸方向に沿っており、軸筒３の後端付近から軸筒３の中間まで直線状に延びている。突出部２９、３０は、互いに所定の間隔を空けて配されている。突出部２９と突出部３０の間は、図１１のように、優弧側（図５の上側）には保護部材５の保護本体３１（図７参照）が挿入可能であり、劣弧側（図５の下側）には固定部材４の接続部６０（図６参照）が挿入可能である。
【００３１】
続いて、固定部材４について説明する。
固定部材４は、図６のように前方から順に刃体部６と、刃体部６を固定する刃先固定部６１と、芯部材２と接続する接続部６０と、を有する。
刃体部６の刃先の形状は、特に限定されるものではなく、平刀、丸刀、三角刀、切り出し刀、平刀等の通常に用いられる彫刻刀の刃先の形状が採用可能である。
刃先固定部６１は略円柱状であり、その先端面には、刃体部６が立設されている。また、前記した刃先固定部６１と刃体部材６は、実質的に一体不可分に接合されている。
接続部６０は、略半筒状の部位であり、円筒を軸方向に分割した形状を有している。即ち、接続部６０は断面形状が略円弧状であり、円弧の長さは同一半径の半円の円弧の長さよりも短い。接続部６０の略中心位置には突起部６２を有している。突起部６２の外径は、固定係合溝１２の幅とほぼ等しく、突起部６２は、組み立て完成時に固定係合溝１２内に挿入可能となっている。
【００３２】
続いて、保護部材５について説明する。
保護部材５は、ＡＢＳ樹脂や、ポリカーボネート（ＰＣ）樹脂、ポリアセタール（ＰＯＭ）樹脂等の剛性を有した樹脂によって成形されている。そして、保護部材５は、組み立て完成時における突出姿勢において、軸筒３内に収納される保護本体３１と軸筒３の外部に露出するガード部３２を有している。
保護本体３１は、図７のように略半筒状の部位であり、円筒を軸方向に分割した形状を有している。即ち、保護本体３１は、断面形状が略円弧状であり、円弧の長さは、同一半径の半円の円弧の長さよりも長い。保護本体３１は、図７のように内側面に内側方向に突出した内側突起部３３を有している。内側突起部３３は保護本体３１の基端部付近に位置している。内側突起部３３の外径は、保護係合溝１１（図３参照）の幅とほぼ等しく、内側突起部３３は、組み立て完成時に保護係合溝１１内に挿入可能となっている。
ガード部３２は、図１、７のように保護本体３１の先端の縁から前方に向けて延設されている。このガード部３２は左右方向両側で一対の壁部３６、３７を有しており、そのそれぞれは互いに接続されている。壁部３６と壁部３７は連続して設けられており、環状となっている。なお、図７は、ガード部３２の形状の理解を深めるため、図６の保護部材を天地方向に逆転して図示している。
【００３３】
また、壁部３６、３７は、図７のように基端側（保護本体３１側）から先端側に向かうにつれて先細りしている。即ち、壁部３６、３７の幅は、基端から先端に向かって緩やかに狭くなっている。壁部３６、３７の上辺部５０（図７では下方の辺）は、基端から軸方向中央付近に向けて緩やかに下方に向かって傾斜し、軸方向中央付近から先端に向けて上方に向かって傾斜している。下辺部５１（図７では上方の辺）は、基端から先端に向けて上方に向かって傾斜している。
ガード部３２は、天地方向に壁部３６と壁部３７によって囲まれた環状形状の開口が形成されている。即ち、ガード部３２は、図２、７のように上辺部５０によって形成された上部開口４０を有している。言い換えると、上部開口４０は、ガード部３２を厚み方向に貫通する。上部開口４０の形状は、長径が軸方向に向き、軸方向に延びた楕円形である。そして、上部開口４０よりも下方は、開放されている。
以上が彫刻刀１の各部材の構成である。
【００３４】
続いて、彫刻刀１の各部材の位置関係について図面を参照しながら説明する。
【００３５】
彫刻刀１は、図１０のように芯部材２の前段部７の周りを保護部材５の保護本体３１と固定部材４の接続部６０が覆っており、その周りを軸筒３が覆っている。言い換えると、保護部材５の保護本体３１と固定部材４の接続部６０は、芯部材２と軸筒３の間に位置している。保護部材５の保護本体３１の内側突起部３３（図７参照）は、芯部材２の前段部７の保護係合溝１１（図３参照）内に挿入されている。即ち、保護部材５の内側突起部３３は、保護係合溝１１の溝壁によって係止されており、保護係合溝１１内の範囲内のみで移動可能となっている。固定部材４の突起部６２（図６参照）は、芯部材２の前段部７の固定係合溝１２（図３参照）内に挿入されている。即ち、固定部材４の突起部６２は、固定係合溝１２の溝壁によって係止されており、固定係合溝１２内の範囲内のみで移動可能となっている。
また、図１１のように保護部材５の保護本体３１と固定部材４の接続部６０は、芯部材２と軸筒３によって挟まれている。即ち、軸筒３により、固定部材４と保護部材５に離反を規制している。また、軸筒３の突出部２９、３０は、固定部材４と保護部材５が挟持している。即ち、軸筒３は、固定部材４と保護部材５の軸筒３内の周方向における位置を固定している。言い換えると、軸筒３の突出部２９、３０は、軸筒３内での固定部材４と保護部材５の周方向の移動を規制している。そのため、姿勢を変更時において芯部材２にかかる使用者の回転力を固定部材４と保護部材５に伝えることができる。
固定部材４の突起部６２（図６参照）は、図８のように、いずれの姿勢においても保護部材５の内側突起部３３（図７参照）に対して位相が約１８０度ずれている。
【００３６】
本発明の彫刻刀１は、使用状態に合わせて３種類の姿勢を取ることが可能であり、その姿勢変更の動作は一連の回転動作によって行うことができる。そこで、姿勢変更の動作の手順に沿って、図８を基準に各姿勢での各部材の位置関係について説明する。なお、図８は、姿勢変更の動作における保護係合溝１１と内側突起部３３、及び固定係合溝１２と突起部６２の位置関係のみを抜き出した概念図であり、黒丸は内側突起部３３及び突起部６２の現在位置を示している。
【００３７】
まず、説明の都合上、図９のような軸筒３内に刃体部６及び保護部材５が収納された姿勢（以下退避姿勢ともいう）から説明する（図８（ａ））。
彫刻刀１は、図９のように退避姿勢において、軸筒３内に刃体部６及び保護部材５が収納されている。この時、固定部材４の突起部６２（図６参照）は、図８（ａ）のように芯部材２の固定係合溝１２内に挿入されている。また、保護部材５の内側突起部３３（図７参照）は、芯部材２の保護係合溝１１内に挿入されている。そして、固定部材４の突起部６２と保護部材５の内側突起部３３は、中心軸に対して互い対称の位置に配されている。即ち、図８（ａ）のように、固定部材４の突起部６２は、およそ０度の位置にあるのに対して、保護部材５の内側突起部３３は、およそ１８０度の位置にある。保護部材５の内側突起部３３に対して固定部材４の突起部６２は、位相が１８０度ずれている。
【００３８】
固定部材４の突起部６２は、芯部材２の前段部７の中央付近に位置する水平溝１５に位置している。また、保護部材５の内側突起部３３は、芯部材２の前段部７の基端側に位置する水平溝２０に位置している。具体的には、固定部材４の突起部６２は、退避領域Ｉ（図４参照）に位置しており、保護部材５の内側突起部３３は、突出領域III（図４参照）に位置している。この姿勢において、固定部材４の突起部６２及び保護部材５の内側突起部３３は、それぞれ水平溝１５、２０の軸方向の溝壁によって軸方向（図８では上下方向）の移動を規制される。そのため、彫刻刀１は、図９のように軸筒３内に刃体部６が収納された状態で固定され、刃体部６が露出しないため、使用者が誤って負傷することがない。
【００３９】
次に、芯部材２を前方から見て時計回り方向に約１８０度まで回す。この回転時、固定部材４の突起部６２は、図８（ｂ）のように本体移動領域II（図４参照）に属しており、保護部材５の内側突起部３３は、保護部材移動領域IV（図４参照）に属している。固定部材４の突起部６２と保護部材５の内側突起部３３は、回転溝１７、２３に沿って平行に移動する。回転溝１７、２３は共に軸方向成分（図８では上下方向）と周方向成分（図８では左右方向）を有しているため、周方向の回転力の一部が軸方向の移動力に変換される。
また、軸筒３の突出部２９、３０は、固定部材４と保護部材５に挟持されており、軸筒３に対する固定部材４と保護部材５の周方向の移動を規制しているため、固定部材４と保護部材５は軸筒３に対して、軸方向のみの移動に規制される。
そのため、軸筒３に対して固定部材４及び保護部材５が軸方向前方に進み、固定部材４の刃体部６と保護部材５のガード部３２が軸筒３から露出する。
【００４０】
さらに芯部材２を前方から見て時計回り方向に少し回し、固定部材４の突起部６２及び保護部材５の内側突起部３３を、保護係合溝１１と固定係合溝１２に係止させることによって軸方向に規制する。この時、固定部材４の刃体部６及び保護部材５のガード部３２は、図１０のように軸筒３から突出した姿勢（以下、突出姿勢又は保護姿勢ともいう）となる。この時、固定部材４の突起部６２は、図８（ｃ）のように突出領域III（図４参照）に属しており、保護部材５の内側突起部３３は保護部材退避領域Ｖ又は退避領域Ｉ（図４参照）に属している。即ち、固定部材４の突起部６２及び保護部材５の内側突起部３３は、それぞれ水平溝１６、及び水平溝１８又は水平溝２１、の軸方向の溝壁によって軸方向（図８では上下方向）の移動を規制される。そのため、彫刻作業の際に、切削方向たる軸方向に刃体部６及び保護部材５に力が加わっても、刃体部６及び保護部材５は相対的に移動することがない。また、この突出姿勢において、図１２のようにガード部３２の先端付近の下方の位置には刃体部６の一部がガード部３２から露出する。そのため、彫刻作業時に刃体部６の刃先は被彫刻物に接触することができる。また、刃体部６の刃先は、ガード部３２の先端よりも後方に位置している。
【００４１】
次に、さらに芯部材２を前方から見て時計回り方向に約１８０度まで回す。この時、固定部材４の突起部６２は、図８（ｄ）のように保護部材移動領域IV（図５参照）に属しており、保護部材５の内側突起部３３は本体移動領域II（図４参照）に属している。即ち、固定部材４の突起部６２は、水平溝１６の軸方向の溝壁によって軸方向（図８では上下方向）の移動を規制される。一方、保護部材５の内側突起部３３は、回転溝２２に沿って移動する。回転溝２２は、共に軸方向成分（図８では上下方向）と周方向成分（図８では左右方向）を有しているため、周方向の回転力の一部が軸方向の移動力に変換される。そのため、軸筒３に対して保護部材５のみが軸方向後方に進み、保護部材５のガード部３２が軸筒３内に退避する。
【００４２】
さらに芯部材２を前方から見て時計回り方向に少し回し、保護部材５の内側突起部３３及び固定部材４の突出部６２を、保護係合溝１１と固定係合溝１２に係止させることによって軸方向に規制する。即ち、保護部材５は、図１３のように軸筒３内に退避する姿勢（以下、保護部材退避姿勢ともいう）となる。この時、固定部材４の突起部６２は、図８（ｅ）のように保護部材退避領域Ｖ（図４参照）に属しており、保護部材５の内側突起部３３は突出領域III（図４参照）に属している。即ち、固定部材４の突起部６２と保護部材５の内側突起部３３は、それぞれ水平溝１６、２０の軸方向の溝壁によって軸方向の移動を規制される。そのため、彫刻作業の際に、切削方向たる軸方向に刃体部６に力が加わっても、刃体部６は相対的に移動することがない。また、この保護部材退避姿勢において、図１３のように刃体部６のみが軸筒３から露出する。そのため、例え、熟練者のように通常の彫刻刀に慣れており、保護部材５に煩わしさを感じたとしても、切り替え動作を行うことによって、通常の彫刻刀と同様の彫刻作業を行うことができる。
【００４３】
本実施形態の彫刻刀１では、一連の回転動作によって、姿勢変更を行うことができるため、児童でも容易に彫刻作業を行うことができる。
【００４４】
上記した実施形態では、保護係合溝１１を設けたが、本発明はこれに限定されるものではなく、図１４のように固定係合溝１２のみでもよい。
【００４５】
上記した実施形態では、１回転する過程で姿勢を変更したが、本発明はこれに限定されるものではなく、半回転で姿勢を変更してもよいし、複数回転で姿勢を変更してもよい。即ち、溝の長さは自由に設計できる。
【符号の説明】
【００４６】
１  彫刻刀
２  芯部材
３  軸筒
４  固定部材（本体）
５  保護部材（本体）
６  刃体部
１１  保護係合溝（保護側溝）
１２  固定係合溝（芯側溝）
１５、１６、１８、２０、２１  水平溝
１７、２２、２３  回転溝
２９、３０  突出部（突起部）
３２  ガード部
３３  内側突起部（保護側突起）
６２  突起部（本体側突起）
【図１】
2012245673.tif 000003
【図２】
2012245673.tif 000004
【図３】
2012245673.tif 000005
【図４】
2012245673.tif 000006
【図５】
2012245673.tif 000007
【図６】
2012245673.tif 000008
【図７】
2012245673.tif 000009
【図８】
2012245673.tif 000010
【図９】
2012245673.tif 000011
【図１０】
2012245673.tif 000012
【図１１】
2012245673.tif 000013
【図１２】
2012245673.tif 000014
【図１３】
2012245673.tif 000015
【図１４】
2012245673.tif 000016